(57)【特許請求の範囲】
【請求項１】
結像光学系の焦点面に配置されたピントグラスと、
前記ピントグラス上に結像された像を観測する観察光学系と、
前記ピントグラスおよび前記観察光学系を格納するケースと、
を有するファインダーであって、前記ケースは、
その面の一つが第１の開口部として形成され、
前記第１の開口部を覆う、前記ケースに対して取り外し可能な第１のカバー部材を有し、
前記第１の開口部とは別の面に、前記ピントグラスのみをピントグラス位置において前記焦点面近傍における光路とほぼ直交する方向に取り出すための、第２の開口部が形成され、
前記第２の開口部を覆う取り外し可能なカバー手段を有することを特徴とするファインダー。
【請求項２】
前記ファインダーが一眼レフカメラのファインダーであって、
前記カメラが撮像レンズを有し、前記撮像レンズが前記ピントグラス上に像を結像することを特徴とする、請求項１に記載のファインダー。
【請求項３】
前記カメラが、撮像レンズを介して入射した光を、撮像面に向かう光束と、前記焦点面に向かう光束と、に分割するビームスプリッターを有することを特徴とする、請求項２に記載のファインダー。
【請求項４】
前記カバー手段が、第２のカバー部材とシール部材とを有し、
前記シール部材は前記第２のカバー部材と前記ピントグラスとの間に挿置されることを特徴とする、請求項１から請求項３のいずれかに記載のファインダー。
【請求項５】
前記シール部材が、前記第２のカバー部材および前記ピントグラスに密着する弾性部材であることを特徴とする、請求項４に記載のファインダー。
【請求項６】
前記ピントグラスと、前記シール部材とがそれぞれ係合部を有し、それぞれの係合部を互いに嵌合させて前記シール部材を前記ピントグラスに取り付けることを特徴とする、請求項４または請求項５に記載のカメラ用ファインダー。
【発明の詳細な説明】
【０００１】
【発明の属する技術分野】
本発明は観察体の像を結像光学系を介してピントグラスの所定の焦点面上に結像させ、その像を接眼光学系を介して拡大観察する実像式ファインダーに関する。
【０００２】
【従来の技術】
例えば、一眼レフカメラには、観察体（被写体）の像を結像光学系を介してピントグラスの所定の焦点面上に結像させ、その像を接眼光学系を介して拡大観察する実像式ファインダーが採用されている。
【０００３】
このような実像式ファインダーの場合、焦点面近傍に埃や塵等の異物が付着すると観察像とともに異物が拡大観察されてしまうために、その存在が非常に目立ってしまう。そのため、前記焦点面近傍に異物が混入しないよう細心の注意をもって実像式ファインダーは組み立てられる。
【０００４】
しかしながら、従来の実像式ファインダーの構造では、前記焦点面近傍に異物が付着していることが、カメラ組立後に判明した場合、異物を取り除くためにカメラ、およびファインダーを分解しなければならないので、異物の取り除き作業は非常に手間とコストのかかるものだった。
【０００５】
【発明が解決しようとする課題】
本発明は、ファインダーがカメラに取り付けられた後であっても、容易にピントグラスの焦点面近傍に付着した異物を取り除くことが可能なカメラ用ファインダーを提供することを目的とする。
【０００６】
【課題を解決するための手段】
上記の目的を達成するために、請求項１から請求項６に記載のファインダーは、前記ファインダーのケースにピントグラスを出し入れするための開口部を設け、前記ピントグラス周辺に異物が付着した場合は、前記ピントグラス取り出し口から前記ピントグラスを取り出すことにより、容易に異物を除去することができる。さらに、前記ファインダーは、前記開口部を覆うカバーを有し、前記開口部からの異物の侵入を防いでいる。
【０００７】
また、請求項７に記載のファインダーは、前記開口部と前記ピントグラスの間にシール部材を備えており、前記開口部と前記カバーの隙間からの異物の侵入を防いでいる。
【０００８】
さらに、請求項８に記載のファインダーは、前記シール部材の材質が弾性体であり、前記シール部材が前記カバーと前記ピントグラスによって圧縮荷重を受け、前記カバーおよび前記ピントグラスと前記シール部材とが密着するので、前記シール部材はより高い防塵能力を有する。
【０００９】
また、請求項９に記載のファインダーは、前記ピントグラスと前記シール部材とが一体化しているので、前記シール部材を引き出すことにより容易に前記ピントグラスを取り出すことができる。
【００１０】
【発明の実施の形態】
図１は本発明の実施の形態のカメラ用ファインダーおよび撮影レンズのの光学的な配置を示したものである。撮影レンズ２０に入射した光束は、第１の光路２７に従って撮影レンズ２０を通過した後、ファインダー１のビームスプリッター１１に入射する。ビームスプリッター１１に入射した光束の一部は偏向分離面１１ａにて反射され、第２の光路２８に従ってピントグラス３に向かう一方、偏向分離面１１ａを通過する光束はそのまま第１の光路２７に従って撮像素子２１の受光面上で結像される。
【００１１】
また、ピントグラス３に向かう光束はピントグラス３上で倒立像として結像され、ついで前記倒立像はコンデンサレンズ１３にていったん集光され、第１反射ミラー１４を経てリレー光学系１５にて拡大反転され、第２反射ミラー１８、第３反射ミラー１９を経て第２焦点面１６にて正立像として再結像される。そして、前記正立像を接眼レンズ４からなる観察光学系により観察することができる。
【００１２】
本発明の実施の形態のカメラ用ファインダーの斜視図を図２に示す。ファインダー１は第１のねじ穴２３、第２のねじ穴２４、および第３のねじ穴２５を有し、第１のねじ穴２３、第２のねじ穴２４、および第３のねじ穴２５にて、撮影レンズ２０および撮像素子２１を備えたカメラボディにねじ止めされている。
【００１３】
また、ファインダー１のケース５には、第２の光路２８に干渉しない面（ピントグラス３から第２反射ミラー１８に至る光路と平行な側面）の一つが開口部（第１の開口部）１７として形成されている。なお、ビームスプリッター１１、コンデンサーレンズ１３、およびリレー光学系１５はそれぞれ第１の開口部１７より取り付けられる。さらに、ビームスプリッター１１、コンデンサーレンズ１３、およびリレー光学系１５はそれぞれの外縁部と嵌合する、ケース５の内部に形成されたガイドによってそれぞれの入射面が第２の光路２８に垂直になるように保持される。
【００１４】
さらに、ファインダー１は、第１の開口部１７に係合する第１のカバー部材９を有する。第１のカバー部材９には、第１の腕部９ａ、第２の腕部９ｂ、第３の腕部９ｃ、第４の腕部９ｄ、および第５の腕部９ｅが形成されている。ここで第１の腕部９ａおよび第４の腕部９ｄはその先端に爪を有し、前記爪のそれぞれがケース５の１側面に係合する。かつ、第２の腕部９ｂ、第３の腕部９ｃ、および第５の腕部９ｅはその先端に係止孔が形成されており、前記係止孔のそれぞれがケース５の外面上に形成された係合突起に嵌入することにより、第１のカバー部材９は第１の開口部に密着してこれを閉塞する。
【００１５】
また、ファインダー１は、第１のカバー部材９とケース５との隙間から混入する異物を防ぐための、第１の防塵シール１０を有する。第１の防塵シール１０はファインダー１の受光窓２とほぼ同じ大きさの開口１０ａを有し、第２の光路２８の沿って、ビームスプリッター１１からコンデンサレンズ１３までの側面を覆う寸法を有する、弾性部材からなる単一の成型品である。ここで第１のカバー部材９をケース５に取り付けることにより、第１の防塵シール１０はビームスプリッター１１、ピントグラス３、コンデンサレンズ１３のそれぞれの側面と第１のカバー部材９の裏面とで挟持され、その弾性によりビームスプリッター１１、ピントグラス３、コンデンサレンズ１３のそれぞれの側面と隙間なく密着する。
【００１６】
なお、第１のカバー部材９はケース５と撮影レンズ２０の間に位置するため、前記カメラボディをファインダー１に取り付けた状態では第１のカバー部材９を取り外すことはできない。
【００１７】
また、ケース５の、第２の光路２８に干渉しない面（側面）の一つであって第１の開口部１７が設けられていない面（図２においてはカメラの底面と略平行な面）には、第２の開口部６が設けられている。ピントグラス３は第２の開口部６より出し入れ可能であり、ケース５の内壁に形成された、第２の光路２８に直交する方向に延出する一対のレール部５ａおよび５ｂによって保持される。
【００１８】
なお、第２の開口部６は、ケース５において、ピントグラス３を保持するレール部５ａの光路方向に並ぶ２つのレール間（ピントグラス３の厚みと同一）の壁部を貫通し、第１の光路２７と平行な方向（ピントグラス３の長辺方向）に延出する穴である。ここで、第２の開口部６の寸法は、ピントグラス３をガタつくことなく取り出すことができる程度に、ピントグラス３を第１の光路２７に平行かつ第２の光路２８に平行な面で切断した断面の寸法よりも僅かに大きい。
【００１９】
さらに、ファインダー１は第２の開口部６を覆う、第２のカバー部材７を有する。また、第２のカバー部材７とピントグラス３との間には第２の防塵シール８が挿置されている。
【００２０】
第２の防塵シール８は弾性部材からなる単一の成型品である。ここでケース５に第２のカバー部材７を取り付けることにより、第２の防塵シール８は第２のカバー部材７の裏面とピントグラス３の側面とで挟持され、ピントグラス３の側面と隙間なく密着する。
【００２１】
さらに、第２の防塵シール８の、ピントグラス３の厚み方向およびピントグラス３の長辺方向の寸法は、第２の開口部６よりも僅かに大きい。すなわち、第２の防塵シール８が第２の開口部６に挿入されると、第２の防塵シール８は第２の開口部６の縁内壁によって圧縮され、前記縁内壁と隙間なく密着し、ピントグラス３の脱落を防止するとともに第２の開口部６を隙間なく密閉する。
【００２２】
また、図３および図４に示すように、ピントグラス３はボス２９を有し、また第２の防塵シール８は穴３０を有している。ボス２９と穴３０とが係合して、ピントグラス３と第２の防塵シール８が一体化されるので、第２の防塵シール８を引き出すことにより容易にピントグラス３を第２の開口部６から取り出すことができる。
【００２３】
なお、ボス２９および穴３０は、ピントグラス３と第２の防塵シール８とをピントグラス３の厚み方向に相対移動させることにより、係合および係合解除するものである。ボス２９と穴３０とを係合させた状態でピントグラス３と第２の防塵シール８を挿入すると、ボス２９および穴３０は開口部６の内壁によってその係合が外れないように一体に案内される。さらにピントグラス３と第２の防塵シール８を開口部６から取り出す際も、ボス２９および穴３０が開口部６から完全に突出するまで、ピントグラス３と第２の防塵シール８は一体である。したがってピントグラスの装脱を防塵シール８をつまみ代わりにして容易に行うことができる。
【００２４】
上述のような構成のファインダー１によれば、ピントグラス３に異物が付着した場合は、第２のカバー部材７を取り外し、第２の開口部６から、防塵シール８とピントグラス３を取り出すことにより、前記カメラボディからファインダー１を取り外すことなく、ピントグラス３に付着した異物を除去することができる。
【００２５】
以上のように、ピントグラス３に異物が付着していても、ファインダー１を撮影レンズ２０およびカメラ本体２１から取り外さずにピントグラス３から異物を取り除くことが可能となる。
【００２６】
なお、上記実施の形態においては、ビームスプリッター１１により光路を分割するタイプの一眼レフカメラに本発明を適用したものを示したが、ビームスプリッターの代わりにクイックリターンミラーを用いた一眼レフカメラに本発明を適用することもできる。
【００２７】
また、ピントグラスを取り出すための第２の開口部の位置は、図に示した位置に限定されるものではなく、カメラおよびファインダーの構造により、ピントグラスを最も取り出しやすい位置に設ければよい。
【図面の簡単な説明】
【図１】本発明の実施形態のカメラ用ファインダーの光学的な配置を示した図である。
【図２】本発明の実施形態のカメラ用ファインダーの組立図である。
【図３】ピントグラスと防塵シールの構造を示す斜視図である。
【図４】本発明の実施の形態のカメラ用ファインダーの、ピントグラス近傍の断面図である。
【符号の説明】
１      ファインダー
２      受光窓
３      ピントグラス
４      接眼レンズ
５      ケース
５ａ    レール部
６      第２の開口部
７      第２のカバー部材
８      第２の防塵シール
９      第１のカバー部材
９ａ    第１の腕部
９ｂ    第２の腕部
９ｃ    第３の腕部
９ｄ    第４の腕部
９ｅ    第５の腕部
１０      第１の防塵シール
１１      ビームスプリッター
１１ａ    偏向分離面
１３      コンデンサーレンズ
１４      第１反射ミラー
１５      リレー光学系
１６      第２焦点面
１７      第１の開口部
１８      第２反射ミラー
１９      第３反射ミラー
２０      撮影レンズ
２１      撮像素子
２３      第１のねじ穴
２４      第２のねじ穴
２５      第３のねじ穴
２７      第１の光路
２８      第２の光路
２９      ボス
３０      穴
【図１】
0003634706.tif 000002
【図２】
0003634706.tif 000003
【図３】
0003634706.tif 000004
【図４】
0003634706.tif 000005